(57)【要約】【課題】無電極ランプの点灯過渡期において、消灯行為を制限する事により安定したランプ点灯性を実現できる映像投射装置を提供する。【解決手段】映像投射装置において、ランプ発光管内に電極を有さず、水銀等を含む金属ハロゲン化合物が封入されている放電ランプを光源とする映像投射装置において、前記光源と、前記光源に流れる電流を測定できる電流測定部と、前記電流測定部にて測定された前記電流量を抽出できる光源制御部を備えた映像投射装置において、前記光源制御部が、前記光源に流れる電流の随時観測を行いランプ点灯の状態を検知する事によりランプ点灯過渡期の消灯行為を制限する事を可能とする。【選択図】図１
2009036790.tif 000002
【特許請求の範囲】
【請求項１】
ランプ発光管内に電極を有さず、水銀等を含む金属ハロゲン化合物が封入されている放電ランプを使用した光源と、
前記光源に供給する電力を制御する光源制御部と、
前記光源を点灯した時点からの時間を計時する計時部
を備え、
前記光源制御部はランプ点灯後、所定の時間、前記光源の消灯を禁止する事を特徴とする映像投射装置。
【請求項２】
ランプ発光管内に電極を有さず、水銀等を含む金属ハロゲン化合物が封入されている放電ランプを使用した光源と、
前記光源に供給する電力を制御する光源制御部と、
前記光源に流れる電流を測定できる電流測定部
を備え、
前記光源制御部はランプ点灯後、前記電流測定部により前記光源に流れる電流量を測定し、ウォームアップ期間と認識している期間、前記光源の消灯を禁止する事を特徴とする映像投射装置。
【発明の詳細な説明】
【技術分野】
【０００１】
本発明は映像投射装置などに使用される光源用ランプの点灯装置、及び映像投射装置に関するもので、より安定性の高い点灯動作が望める具体的構成を提供する。
【背景技術】
【０００２】
液晶プロジェクタなどの投射型映像機器に使用される光源は、明るさ性能の向上に伴いメタルハライドランプや高圧水銀ランプ等を代表とする放電ランプが使用されている。
【０００３】
近年、更なる高輝度化の要望に対し、光利用効率向上を目的とした物が開発・採用されている。
【０００４】
なかでも無電極ランプは長寿命・高速な起動を特徴とした光源として注目されており、実用化に期待が寄せられている。
【０００５】
図２は無電極ランプの概略構成を示す断面図である。
【０００６】
１ｃはバルブと呼ばれるランプ発光管であり、その内部には水銀１ｈを主とする金属ハロゲン化合物と希ガスが封入されており、その周辺にはパックと呼ばれるバルブに磁界を印加するためのコイル１ｂが一定の間隔を隔てて囲むように配置されている。
【０００７】
従来から使用されている放電ランプにおいて、封入された水銀は点灯時には気化しているが、消灯に伴い放電ランプが冷却されて液化し、発光管内壁及び前期発光管内の電極に付着する。
【０００８】
その際、電極への付着が放電ランプの点灯性を悪化させるため、水銀の付着を防止して点灯性の改善を図った装置が下記の特許文献１に開示されている。      
無電極ランプについても同様に、消灯時には封入物である前記水銀１ｈは液化し、バルブ１ｃ内空間やバルブ内壁１ｄに付着し安定している。
【０００９】
特に、バルブ１ｃに対して、熱容量が小さく速やかに冷却される箇所に比較的多くの水銀１ｈが付着及び安定する傾向がある。
【特許文献１】特開２００６−２１０２８０号公報
【発明の開示】
【発明が解決しようとする課題】
【００１０】
しかしながら、無電極ランプの様なランプ発光管内に電極の無い光源を点灯させる場合に、実際にバルブ内の封入物が気化・電離・反応しバルブが安定して発光するまでにはある程度の時間（以降ウォームアップ時間とする）を要する。
【００１１】
通常、ランプが正しく点灯できない場合などには、一度消灯した後再点灯処理を行うのが通例であるが、システムの構成によってはウォームアップが完了する直前、或いは直後にランプを消灯する場合が少なからず発生する。
【００１２】
その場合、バルブの温度が十分に上がらない為、前記バルブに部分的な温度の差異が生じ、結果液化した前記水銀の分布が次回ランプ点灯する際に不利な状態になる場合があり、ランプ点灯性の悪化を引き起こしてしまうという課題を有していた。
【００１３】
本発明は、前記課題を解決するもので、ランプの点灯時、更には点灯過渡期前後におけるランプの制御方法を工夫することにより、点灯性及び信頼性の高い映像投射装置を提供することを目的とする。
【課題を解決するための手段】
【００１４】
上記課題を解決するために、本発明の映像投射装置は、ランプ発光管内に電極を有さず、水銀等を含む金属ハロゲン化合物が封入されている放電ランプを使用した光源と、
前記光源に供給する電力を制御する光源制御部と、
前記光源を点灯した時点からの時間を計時する計時部
を備え、
前記光源制御部はランプ点灯後、所定の時間、前記光源の消灯を禁止する事を特徴としたものである。
【００１５】
さらに、本発明の映像投射装置は、ランプ発光管内に電極を有さず、水銀等を含む金属ハロゲン化合物が封入されている放電ランプを使用した光源と、
前記光源に供給する電力を制御する光源制御部と、
前記光源に流れる電流を測定できる電流測定部
を備え、
前記光源制御部はランプ点灯後、前記電流測定部により前記光源に流れる電流量を測定し、ウォームアップ期間と認識している期間、前記光源の消灯を禁止する事を特徴としたものである。
【発明の効果】
【００１６】
本発明の映像投射装置によれば、水銀の液化状態の悪化を防止することができ、ランプ不点灯などの不具合の防止し、ランプを安定して高速起動させることができる。
【００１７】
これにより、無電極ランプを使用した信頼性の高いランプ点灯装置を備えた映像投射装置を提供することができる。
【発明を実施するための最良の形態】
【００１８】
以下に、本発明の映像投射装置に対する実施の形態を図面と共に詳細を説明する。
【００１９】
（実施の形態１）
以下に、本発明の実施の形態について、図１、図２、及び図３を用いて説明する。
【００２０】
図１は、本発明の第１の実施の形態における映像投射装置のブロック図を示す。
【００２１】
光源１の光は、ダイクロイックミラーＢ３によりＢの成分のみを反射し、ミラー６ａで反射し、液晶パネル７ａに入射する。ダイクロイックミラーＢ３を通過した光は、ダイクロイックミラーＧ４によりＧの成分のみ反射し、液晶パネル７ｃに入射する。ダイクロイックミラーＧ４を通過した光は、ミラー６ｃ、ミラー６ｂにより反射し、液晶パネル７ｂに入射する。液晶パネル７ａ、７ｂ、７ｃは、ＲとＧとＢの画像を形成し、それぞれ入射してきた光を通過し、Ｘキューブ８で合成を行うことでカラー画像を形成し、スクリーン２に投射する。
【００２２】
光源１の点灯及び消灯の制御は、光源制御部１１を通じて行い、光源１の出力レベルを出力レベル抽出部２１にて輝度を観測し、その情報を光源制御部１１にフィードバックする事により、光源１の出力レベル、すなわち輝度を正確に制御することを可能としている。
【００２３】
図２は無電極ランプの概略構成を示す断面図である。
【００２４】
１ｃはバルブと呼ばれるランプ発光管であり、その内部には水銀１ｈを主とする金属ハロゲン化合物と希ガスが封入されており、その周辺にはパックと呼ばれるバルブに磁界１ｆを印加するためのコイル１ｂが一定の間隔を隔てて囲むように配置されている。
【００２５】
前記水銀１ｈはランプ点灯時には気化しているが、ランプ消灯に伴い気中放熱、或いはランプ冷却部１６によってバルブ１ｃが冷却されるに伴い、内部の水銀１ｈは液化し、バルブ１ｃ内に安定、あるいはバルブ管内壁１ｄに付着する。
【００２６】
ここでバルブ１ｃの形状やランプ冷却部１６の構成などによっては消灯時の前記バルブ１ｃ自体の温度変化にも部分的に違いが生じ、結果水銀１ｈの液化状態がギャップ部１ｅから遠い場所に偏った場合においては、ランプの点灯性を悪化させることとなる。
【００２７】
そこで、ランプ点灯を開始すると同時に計時部１５にて計時を開始させ、設定された期間ランプがウォームアップを完了するのを待つ。
【００２８】
その期間は本体のリモートコントローラ１７、電源スイッチ１８などからの入力は光源制御部１１により禁止する事により、バルブ１ｃ内の水銀１ｈが液化箇所の分布の悪化を防止する事ができる。
【００２９】
上記動作を図３にタイミングチャートで示す。
【００３０】
先述の動作をランプ点灯時に実施することで、バルブ１ｃ内の液化した水銀１ｈの分布の悪化を防止し、ランプの点灯性を確保する事ができる。
（実施の形態２）
次に、本発明の実施の形態について、図１、図２、及び図４を用いて説明する。
【００３１】
なお、前述した実施の形態と同じ構成については同じ符号を用い、説明を省略する。
【００３２】
前記映像投射装置において、ランプ点灯を開始すると同時に計時部１５にて計時を開始させ、設定された期間ランプがウォームアップを完了するのを待つ。
【００３３】
しかし、例え前記ウォームアップ待ち期間中はランプ消灯行為を禁止したとしても、前記ウォームアップ待ち期間終了直前などにウォームアップが完了した場合には、バルブ１ｃは少なからず点灯しており、バルブ１ｃ内の水銀１ｈは既に気化されている。
【００３４】
この状態にてランプ消灯すると、バルブ１ｃの温度は十分に上がっていない状態で冷却される事になり、結果部分的な温度の差異が生じる事でバルブ内１ｃの液化された水銀１ｈ分布の状態が悪くなり、次回再点灯する際に起動時間が長くなる場合や、不点灯となる場合がある。
【００３５】
そこで、前記ウォームアップ待ち期間に、電流測定部２２にて測定される光源に流れる電流を定期的に光源制御部１１にて抽出し、ウォームアップが完了したことが検知した場合においては、以降一定期間ランプの消灯行為を行わないよう光源制御部１１により制御することにより、ランプの点灯性を確保する事ができる。
【００３６】
また、ウォームアップ完了の検出以降の期間のみ消灯行為を禁止しても良いし、もちろんウォームアップ期間中を含め禁止しても良い。
【００３７】
検出した場合に一定期間ウォームアップ待機期間を延長しても良い。
【００３８】
上記動作を図４にタイミングチャートで示す。
【００３９】
先述の動作をランプ点灯時に実施することでバルブ１ｃ内の液化した水銀１ｈの分布の悪化を防ぐことで、ランプの点灯性を確保する事ができる。
【産業上の利用可能性】
【００４０】
本発明にかかる映像投射装置は、無電極ランプの安定した点灯性を図ることがでるので、無電極ランプを光源とする映像投射装置に適用できる。
【図面の簡単な説明】
【００４１】
【図１】本発明の実施の形態１における映像投射装置のブロック図
【図２】本発明の実施の形態１における映像投射装置を構成する無電極ランプの断面図
【図３】本発明の実施の形態１における無電極ランプ点灯時のタイミングチャート（１）
【図４】本発明の実施の形態１における無電極ランプ点灯時のタイミングチャート（２）
【符号の説明】
【００４２】
１    光源
１ａ  レンズ
１ｂ  パック
１ｃ  バルブ
１ｄ  バルブ内壁
１ｅ  ギャップ部
１ｆ  磁界
１ｈ  水銀
２    スクリーン
３    ダイクロイックミラーＢ
４    ダイクロイックミラーＧ
６ａ  ミラー
６ｂ  ミラー
６ｃ  ミラー
７ａ  液晶パネル
７ｂ  液晶パネル
７ｃ  液晶パネル
８    Ｘキューブ
１０    映像信号
１１    光源制御部
１２    平均輝度算出部
１３    液晶パネル駆動部
１５    計時部
１６    ランプ冷却部
１７    リモコン受光部
１８    電源スイッチ
２１    出力レベル抽出部
２２    電流測定部
２４    出力レベル指定部
【図１】
2009036790.tif 000003
【図２】
2009036790.tif 000004
【図３】
2009036790.tif 000005
【図４】
2009036790.tif 000006